(57)【要約】本発明は、ビデオ・セグメントを記憶媒体（２６）に録画する方法（２００）およびシステム（１０）に関する。この方法は、少なくとも１つの予測ピクチャを含むビデオ・セグメントを受け取るステップ（２１０）と、少なくとも１つの予測ピクチャを選択的にイントラ・ピクチャに変換し、それにより少なくとも１つの予測ピクチャをイントラ・ピクチャで置き換えるステップとを含んでいる。或る構成では、ビデオ・セグメントは少なくとも１つの導入予測ピクチャを含んでおり、変換するステップは更に、所定数の導入予測ピクチャを選択的に復号して、正しく復号された予測ピクチャを得るステップ（２１２）を含んでいる。加えて、ビデオ・セグメントは少なくとも１つの後続の予測ピクチャを含んでおり、変換するステップは更に、後続の予測ピクチャを選択的に復号するステップ（２１４）と、後続の予測ピクチャ、導入予測ピクチャ、またはこれらの組合せを選択的にイントラ・ピクチャに再符号化するステップ（２１６）とを含んでいる。
2005507186.tif 000002
【特許請求の範囲】
【請求項１】
ビデオ・セグメントを記憶媒体に録画する方法であって、
少なくとも１つの予測ピクチャを含む前記ビデオ・セグメントを受け取るステップと、
前記少なくとも１つの予測ピクチャを選択的にイントラ・ピクチャに変換し、それにより前記少なくとも１つの予測ピクチャを前記イントラ・ピクチャで置き換えるステップとを含む方法。
【請求項２】
前記ビデオ・セグメントが少なくとも１つの導入予測ピクチャを含み、前記変換するステップが更に、所定数の前記導入予測ピクチャを選択的に復号して、正しく復号された予測ピクチャを得るステップを含む、請求項１に記載の方法。
【請求項３】
前記導入予測ピクチャそれぞれの一部がイントラ・マクロブロックを含み、前記所定数が前記導入予測ピクチャそれぞれの中の前記イントラ・マクロブロックの量に部分的に基づく、請求項２に記載の方法。
【請求項４】
前記ビデオ・セグメントが少なくとも１つの後続の予測ピクチャを含み、前記変換するステップが更に、
前記後続の予測ピクチャを選択的に復号するステップと、
前記後続の予測ピクチャおよび前記導入予測ピクチャを含むグループから選択された予測ピクチャをイントラ・ピクチャに選択的に再符号化するステップとを含む、請求項２に記載の方法。
【請求項５】
前記ビデオ・セグメントが、イントラ・ピクチャを全く含んでいないＭＰＥＧビデオ・セグメントである、請求項１に記載の方法。
【請求項６】
ビデオ・セグメントを記憶媒体に録画するためのシステムであって、
少なくとも１つの予測ピクチャを含む前記ビデオ・セグメントを受け取るための受信機と、
前記少なくとも１つの予測ピクチャを選択的にイントラ・ピクチャに変換し、それにより前記少なくとも１つの予測ピクチャを前記イントラ・ピクチャで置き換えるようにプログラムされたビデオ処理回路とを備えるシステム。
【請求項７】
前記ビデオ・セグメントが少なくとも１つの導入予測ピクチャを含み、前記ビデオ処理回路が更に、所定数の前記導入予測ピクチャを選択的に復号して、正しく復号された予測ピクチャを得るようにプログラムされた、請求項６に記載のシステム。
【請求項８】
前記導入予測ピクチャそれぞれの一部がイントラ・マクロブロックを含み、前記所定数が前記導入予測ピクチャそれぞれの中の前記イントラ・マクロブロックの量に部分的に基づく、請求項７に記載のシステム。
【請求項９】
前記ビデオ・セグメントが少なくとも１つの後続の予測ピクチャを含み、前記ビデオ処理回路が更に、前記後続の予測ピクチャを選択的に復号し、前記後続の予測ピクチャおよび前記導入予測ピクチャを含むグループから選択された予測ピクチャをイントラ・ピクチャに選択的に再符号化するようにプログラムされた、請求項７に記載のシステム。
【請求項１０】
前記ビデオ・セグメントが、イントラ・ピクチャを全く含んでいないＭＰＥＧビデオ・セグメントである、請求項６に記載のシステム。
【発明の詳細な説明】
【技術分野】
【０００１】
本発明は、一般に、ビデオ録画システムに関し、より詳細には、ディジタル的に符号化されたビデオ・シーケンスを録画可能なディジタル・ビデオ・ディスク、ハード・ドライブ、光磁気ディスクなどのディスク媒体に録画するビデオ録画システムに関する。
【背景技術】
【０００２】
一般に、ＭＰＥＧビデオは、３つのタイプのピクチャ符号化方法、即ちイントラ（Ｉ：Ｉｎｔｒａ：面内）ピクチャ、（前（順）方向）予測（Ｐ：Ｐｒｅｄｉｃｔｉｖｅ）ピクチャ、および双方向予測（Ｂ：Ｂｉｄｉｒｅｃｔｉｏｎａｌ  ｐｒｅｄｉｃｔｉｖｅ）ピクチャを使用する。Ｉ（イントラ）ピクチャは、他のどんなピクチャからも独立して符号化または復号される。これにより基準ピクチャ（ｒｅｆｅｒｅｎｃｅ  ｐｉｃｔｕｒｅ）が生成され、この基準ピクチャから、Ｐ（予測）およびＢ（双方向予測）ピクチャ、即ち非Ｉ（Ｎｏｎ−Ｉ）ピクチャを構成することができる。
【０００３】
しかし、ＭＰＥＧビデオ信号の中には、Ｉ（イントラ）ピクチャ無しで符号化されるものもある。具体的には、多くの米国ケーブル・システム会社は、Ｉピクチャを含んでいないＭＰＥＧ信号を放送している。一見、このようなビデオ信号は、Ｐ（予測）ピクチャおよびＢ（双方向予測）ピクチャを構成する際の元になるＩピクチャが無いので復号化が不可能なように思われる。
【０００４】
それにもかかわらず、Ｉピクチャの無いビデオ信号は、ほとんどのＭＰＥＧデコーダにより復号することができる。つまり、信号中の各Ｐ（予測）ピクチャの別部分が通常、Ｉ（イントラ）マクロブロックで構成されているからである。即ち、Ｉマクロブロックを含む連続するＰピクチャを使用して、最終的に１つのＰピクチャを正しく復号することができ、次いでこれを使用して、ビデオ信号中の残りのピクチャを復号することができる。例えば、５つのＰピクチャがあるブロックで、各Ｐピクチャの２０％がＩマクロブロックを含んでいる。例えば、第１のＰピクチャの上部２０％はＩマクロブロックで構成され、下部８０％は非Ｉマクロブロックで構成される。ビデオ信号中の第２のＰピクチャを参照すると、このピクチャの上部２０％のすぐ下の２０％を表す部分はＩマクロブロックで構成され、下部６０％および最上部２０％は非Ｉマクロブロックで構成される。こうして、連続する各Ｐピクチャの異なる部分がＩマクロブロックを含んでいる。従って、最後のＰピクチャの底部２０％はＩマクロブロックを含んでいる。
【０００５】
これらのＩマクロブロックを、Ｐピクチャ中に含まれる非Ｉマクロブロックと共に使用して、連続する各Ｐピクチャを構成することができる。具体的には、各Ｐピクチャを復号するのに伴って、Ｉおよび非Ｉマクロブロックをメモリに記憶していくことができる。従って、デコーダ（復号化器）は、第５のＰピクチャを大体正しく復号することができ、このＰピクチャから残りのＰピクチャおよびＢピクチャを復号することができる。Ｉピクチャを有しないビデオ信号の通常再生中、再生開始時にピクチャ（画像）品質が損なわれる短い期間がある。これは、再生の初めのピクチャは、まだ正しく復号されていないＰピクチャから構成しなければならないからである。例えば、通常、再生信号中の第１のＰピクチャは、Ｉマクロブロックの第１の部分を含んでいる。従って、第１のＰピクチャから構成されるＰピクチャおよびＢピクチャは正しく復号することができない。つまり、第１のＰピクチャは、これらのピクチャを生成するのに必要な情報のおよそ２０％しか含んでいないからである。しかし、再生し続けるにつれて、より多くのＰピクチャが復号され、それにより更に多くの正しく復号されたＩおよび非Ｉマクロブロックが供給されて、正しく復号されたＰピクチャが捕捉されるので、ピクチャ品質は改善される。普通正しく復号されたピクチャは、通常のビデオ再生の初めの２分の１秒から１秒以内で構成されるので、この最初のピクチャ品質低下は短時間であるため許容できる。
【０００６】
しかし、重要なことに、Ｉ（イントラ）ピクチャの無い信号中で、正しく復号されたＰ（予測）ピクチャを構成する際の遅延は、トリック・モード（ｔｒｉｃｋ  ｍｏｄｅ）中では長引く場合がある。例えば、早送り（ＦＦ：Ｆａｓｔ−Ｆｏｒｗａｒｄ）トリック・モード中は、複数のピクチャを飛ばして再生を加速させる。Ｉマクロブロックを含むＰ（予測）ピクチャが飛ばされた場合、Ｐピクチャを正しく復号して、残りのＰピクチャおよびＢ（双方向予測）ピクチャを復号するにはより時間が掛かる。この結果、トリック・モード中に構成されるピクチャのより多くが、ピクチャ品質の劣化を被る。更に、再生速度が速いほど、より速い再生に対応するために、より多くのＰピクチャが飛ばされることがあるので、許容できる再生を生み出す際の遅延が増大する。スロー・モーション（ｓｌｏｗ  ｍｏｔｉｏｎ）再生も、正しく復号されたＰピクチャを生成する際の遅延を長引かせる一因となることがある。この遅延の理由は、通常、スロー・モーション再生中に、ピクチャが繰り返されることである。ピクチャが繰り返されるので、別々の５つのＰピクチャからマクロブロックを復号する際に遅延が生じるため、正しく復号されたＰピクチャを生成するにはより時間が掛かる。この結果、通常再生中では許容できるピクチャ品質の低下が、トリック・モード動作中では許容できなくなる場合がある。従って、前述の様々な不利益を克服するために、非ＩピクチャをＩピクチャに変換することによりビデオ信号を変更する方法およびシステムが必要とされている。
【発明の開示】
【０００７】
（発明の概要）
本発明は、ビデオ番組などのビデオ・セグメント（ｖｉｄｅｏ  ｓｅｇｍｅｎｔ）を記憶媒体に録画する方法に関する。この方法は、少なくとも１つの予測ピクチャを含むビデオ・セグメントを受け取るステップと、少なくとも１つの予測ピクチャを選択的にイントラ・ピクチャに変換し、それにより少なくとも１つの予測ピクチャをイントラ・ピクチャで置き換えるステップとを含んでいる。或る構成では、ビデオ・セグメントは少なくとも１つの導入予測ピクチャ（ｉｎｔｒｏｄｕｃｔｏｒｙ  ｐｒｅｄｉｃｔｉｖｅ  ｐｉｃｔｕｒｅ）を含み、変換するステップは更に、所定数の導入予測ピクチャを選択的に復号して、正しく復号された予測ピクチャを得るステップを含んでいる。加えて、各導入予測ピクチャの一部がイントラ・マクロブロックを含み、所定数は、各導入予測ピクチャ中のイントラ・マクロブロックの量に部分的に基づいている。
【０００８】
別の構成では、ビデオ・セグメントは少なくとも１つの後続の予測ピクチャ（ｓｕｂｓｅｑｕｅｎｔ  ｐｒｅｄｉｃｔｉｖｅ  ｐｉｃｔｕｒｅ）を含み、変換するステップは更に、後続の予測ピクチャを選択的に復号するステップと、後続の予測ピクチャ、導入予測ピクチャ、またはこれらの組合せを選択的にイントラ・ピクチャに再符号化するステップとを含んでいる。上述の方法の一態様では、ビデオ・セグメントは、イントラ・ピクチャを全く含んでいないＭＰＥＧビデオ・セグメントとすることができる。本発明はまた、ビデオ・セグメントを記憶媒体に録画するためのシステムにも関する。このシステムは、少なくとも１つの予測ピクチャを含むビデオ・セグメントを受け取るための受信機と、少なくとも１つの予測ピクチャを選択的にイントラ・ピクチャに変換し、それにより少なくとも１つの予測ピクチャをイントラ・ピクチャで置き換えるようにプログラムされたビデオ処理回路とを備えている。また、このシステムは、前述の方法を実施するのに適当なソフトウェアおよび回路も備えている。
【発明を実施するための最良の形態】
【０００９】
図１に、本発明の構成に従って様々な先進的な動作機能を実施するためのシステムまたは記憶媒体デバイス１０をブロック図の形式で示す。但し、本発明は、ディジタル的に符号化された信号を受け取ることのできる他の任意の記憶媒体デバイスでも実施することができるので、図１に示す特定のデバイスに限定されるものではない。更に、ディジタル的に符号化されたデータを記憶することのできる任意の記憶媒体をデバイス１０と共に使用することができるので、デバイス１０は、何れか特定のタイプの記憶媒体との間でデータを読み書きすることに限定されるものではない。
【００１０】
デバイス１０は、記憶媒体２６との間でデータを読み書きするためのコントローラ２４も備えることができる。また、デバイス１０は、制御用中央処理装置（ＣＰＵ）１４も有する。制御用ＣＰＵ１４がエンコーダ（符号化器）２０、デコーダ（復号化器）１８、検索エンジン１６、およびコントローラ２４の動作を制御できるようにするために、制御用インタフェースおよびデータ・インタフェースも設けることができる。制御用ＣＰＵ１４により行われる通常の動作のために、適当なソフトウェアまたはファームウェアをメモリに記憶してもよい。更に、本発明の構成によれば、プログラム・ルーチンが制御用ＣＰＵ１４に設けられる。本発明の意図において、制御用ＣＰＵ１４、検索エンジン１６、デコーダ１８、およびエンコーダ２０の、全部または一部は、ビデオ処理回路１１と考えることができることを理解されたい。
【００１１】
動作を説明すると、１つまたは複数の予測（Ｐ）ピクチャを含むビデオ信号を、受信機またはバッファ１２に入力する。このビデオ信号中のＰピクチャは、幾つかのＩおよび非Ｉマクロブロックを含んでいる。或る構成例では、信号はＩ（イントラ）ピクチャを全く含んでいない。但し、Ｉピクチャを含む信号を本発明の構成により変更することもできるので、本発明はこれに関して限定されるものでないことに留意されたい。ビデオ信号は、バッファ１２から、検索エンジン１６に、次いでエンコーダ２０に送られる。その間に、制御用ＣＰＵ１４は、ビデオ信号中のピクチャの幾つかを選択的に復号するように、デコーダ１８に信号で知らせることができる。後で詳しく説明するが、ビデオ信号中の最初のＰピクチャからのＩおよび非Ｉマクロブロックを使用して、正しく復号されたＰピクチャを得ることができ、これを使用してビデオ信号中の１つまたは複数の後続のＰピクチャを復号することができる。次いで、エンコーダ２０は、最初のＰピクチャおよび／または後続のＰピクチャの１つまたは複数を、Ｉピクチャに再符号化することができる。
【００１２】
復号および／または再符号化するＰピクチャを探し出すために、検索エンジン１６が、各ピクチャの開始コード（ｓｔａｒｔ  ｃｏｄｅ：スタート・コード）を探し出すことによりビデオ信号を検索することができる。開始コードを探し出すと、検索エンジン１６は制御用ＣＰＵ１４に信号で知らせることができる。次いで、制御用ＣＰＵ１４は、この特定のピクチャの開始コードに注目することにより、ピクチャがＩ（イントラ）ピクチャ、Ｂ（双方向予測）ピクチャ、またはＰ（予測）ピクチャかを決定する。次いで、制御用ＣＰＵ１４は、デコーダ１８に信号を送って、適切な数のＰピクチャを復号させることができる。同様に、制御用ＣＰＵ１４は、エンコーダ２０に信号を送って、幾つかの復号済みＰピクチャをＩピクチャに再符号化させ、それにより１つまたは複数のＰピクチャをＩピクチャで置き換えて変更済みビデオ信号を生成させる。ビデオ信号を変更した後は、これを録画バッファ２２に送り、ここで信号は一時的に記憶される。信号は、コントローラ２４により、録画バッファ２２から受け取り、次いで記憶媒体２６に録画することができる。以下、この処理過程全体についてより詳細に説明する。
【００１３】
特に、本発明は、ハードウェア、ソフトウェア、またはハードウェアとソフトウェアの組合せにおいて実現することができる。本発明による機械可読媒体は、１つのコンピュータ・システム中で、例えば制御用ＣＰＵ１４中で中央集中化方式で実現することもでき、或いは、種々の要素が複数の相互接続コンピュータ・システムにわたって分散する分散方式で実施することもできる。本明細書に述べる方法を実施するように適合化された任意の種類のコンピュータ・システムまたはその他の装置を使用することができる。
【００１４】
具体的には、本明細書に述べる本発明では、図１の制御用ＣＰＵ１４を意図しているが、ハードウェアとソフトウェアの典型的な組合せは、コンピュータ・プログラムを備えた汎用コンピュータ・システムでもよく、このコンピュータ・プログラムは、ロードされて実行されると、図１に示したものと同様のコンピュータ・システムおよび録画システムを制御し、それにより本明細書に述べる方法を実施する。本発明は、コンピュータ・プログラム製品に組み込むこともでき、このコンピュータ・プログラム製品は、本明細書に述べる方法の実施を可能にする全ての機能を備え、コンピュータ・システムにロードされるとこれらの方法を実施することができる。
【００１５】
本明細書中に於いて、「コンピュータ・プログラム」とは、情報処理機能を有するシステムに特定の機能を直接に実行させるか、或いは（ａ）別の言語、コード、または表記法に変換した後と（ｂ）種々の素材形態で複製した後のどちらかまたは両方で実行させるように意図された命令セットを、任意の言語、コード、または表記法で任意に表現したものを意味する。本明細書に述べる発明は、前述の制御用ＣＰＵ１４に適合するオペレーティング・システム用の市販の開発ツールをプログラマが使用して実施することのできるコンピュータ・プログラムに組み込まれた方法とすることもできる。
【００１６】
「非Ｉピクチャを変換することによるビデオ信号の変更」
本発明の構成によれば、Ｉ（イントラ）ピクチャを有しない録画済みビデオのトリック・モード再生に関連する低ピクチャ（画像）品質を、ビデオ信号に含まれる１つまたは複数の非Ｉピクチャを１つまたは複数のＩピクチャに変換することにより改善することができる。これらのＩピクチャでこれらの非Ｉピクチャを置き換え、それにより変更済みビデオ信号を生成することができる。その後、録画済みビデオの通常再生またはトリック・モード再生中に、これらのＩピクチャを使用して、ビデオに含まれる残りの非Ｉピクチャを再構成することができる。
【００１７】
図２に、最適なトリック・モード性能を得るために、Ｉマクロブロック付きＰ（予測）ピクチャを含むビデオ（通常は、Ｉピクチャを含んでいない信号）を変更することのできる一方法を例示するフローチャート２００を示す。ステップ２１０で、少なくとも１つのＰピクチャを含むビデオ信号を受け取る。前述のように、多くのビデオ放送信号、特に、米国ケーブル放送は、Ｉ（イントラ）ピクチャを含んでいない。これらの信号の多くは、所定数の非Ｉピクチャを含む幾つかのビデオ・シーケンスで構成される。以下は、このような信号に含まれる典型的なビデオ・シーケンスの例である。
ＳＨ  Ｂ０Ｂ１Ｐ２Ｂ３Ｂ４Ｐ５Ｂ６Ｂ７Ｐ８Ｂ９Ｂ１０Ｐ１１Ｂ１２Ｂ１３Ｐ１４
【００１８】
上に示すように、この例は非Ｉピクチャ（ＰピクチャおよびＢピクチャ）だけを含み、Ｉピクチャは全く含んでいない。通常、各Ｐピクチャの一部は、Ｉマクロブロックで符号化されている。通常再生中、シーケンス中のピクチャは、Ｐピクチャ中のＩマクロブロックと非Ｉマクロブロックの両方で構成することができる。経験的に、各Ｐピクチャの約２０％をＩマクロブロックで符号化して、Ｉピクチャを含んでいない信号中のＰピクチャ間に２つのＢピクチャを配置すると旨く機能することが分っている。従って、上に示した典型的なシーケンスが一般に使用されており、これを本発明の説明の助けとして使用する。但し、Ｉピクチャのない他のビデオ・シーケンスも一般に使用されており、それらを典型例と考えてもよいことは、当業者なら理解できるであろう。実際、本発明の構成によれば、少なくとも１つのＰピクチャを含むビデオ信号ならどんなものでも変更することができ、これにはＩピクチャを含むビデオ信号も含まれる。
【００１９】
本発明は、どんな特定のピクチャ・フォーマット（画像形式）にも限定されるものではないので、上に示した典型的なビデオ・シーケンス中のピクチャは、プログレッシブ・フレーム、非プログレッシブ・フレーム、またはフィールド・ピクチャを表すものでもよい。記号「ＳＨ」はシーケンス・ヘッダ（Ｓｅｑｕｅｎｃｅ  Ｈｅａｄｅｒ）を表し、シーケンス・ヘッダは、それが割り当てられている特定のビデオ・シーケンスに関する復号化情報を含むヘッダである。但し、本発明はシーケンス・ヘッダのないビデオ・シーケンスでも実施することができるので、本発明はこのような構成に限定されるものでないことを理解されたい。
【００２０】
ビデオ信号を受け取ると、ステップ２１２で、正しく復号化されたＰ（予測）ピクチャが得られるまで、信号に含まれる１つまたは複数のＰピクチャを復号することができる。或る構成では、復号されるＰピクチャの数は、Ｐピクチャ中のＩマクロブロックの量に応じて決まる。例えば、上に再現したビデオ・シーケンスでは、５つのＰピクチャ、即ちＰ２、Ｐ５、Ｐ８、Ｐ１１、Ｐ１４を復号することができ、この結果、ピクチャＰ１４を正しく復号化することができる。先に説明したように、一般に、典型的ビデオ・シーケンス中の各Ｐピクチャの別部分（約２０％）がＩマクロブロックで構成されているので、５つのＰピクチャを使用して１つのＰピクチャを正しく復号することができる。但し、正しく復号されたＰピクチャを得るために、他の適当な任意の数のＰピクチャを復号することもできるので、本発明は前の例に限定されるものではない。例えば、これらの最初のＰピクチャは、様々な割合のＩマクロブロックを含んでいてもよい。明確にするために、正しく復号されたＰピクチャを得るのに使用されるＰピクチャを、導入Ｐピクチャ（ｉｎｔｒｏｄｕｃｔｏｒｙ  Ｐ  ｐｉｃｔｕｒｅ）と呼ぶことがある。
【００２１】
導入Ｐピクチャを復号することにより、正しく復号されたＰピクチャが得られた後は、ステップ２１４に示すように、正しく復号されたＰピクチャを使用して、ビデオ信号中の１つまたは複数の後続のＰピクチャを選択的に復号することができる。或る構成では、後続のＰピクチャを全て復号することが好ましい。但し、他の適当な数の後続のＰピクチャを復号することもできるので、本発明はこれに関して限定されるものではない。他の構成では、正しく復号されたＰピクチャが捕捉された後に１つまたは複数のＰピクチャをスキップした場合、即ちビデオ・セグメント中の全てには満たないＰピクチャを復号した場合は、スキップしたＰピクチャに続く１つまたは複数のＰピクチャを使用して、後続のＰピクチャを復号するために、別の正しく復号されたＰピクチャを生成することができる。この別の正しく復号されたＰピクチャを構成するのに使用した、スキップしたＰピクチャに続くＰピクチャも、導入Ｐピクチャと呼ぶことがある。
【００２２】
所望の数の後続のＰピクチャを復号すると、ステップ２１６で、選択的に復号した後続のＰピクチャの１つまたは複数をＩピクチャに再符号化することができる。別の構成では、正しく復号されたＰピクチャを得るために使用した導入Ｐピクチャの１つまたは複数も、Ｉピクチャに再符号化することができる。どちらの構成でも、ビデオ信号中の元のＰピクチャをＩピクチャで置き換えることができる。以下に、このような処理過程の例を示す。
ＳＨ  Ｂ０Ｂ１Ｉ２Ｂ３Ｂ４Ｐ５Ｂ６Ｂ７Ｐ８Ｂ９Ｂ１０Ｐ１１Ｂ１２Ｂ１３Ｐ１４
上に示すように、導入ＰピクチャＰ２が、ＩピクチャＩ２に再符号化されている。但し、任意の数の導入または後続のＰピクチャをＩピクチャに再符号化することができるので、本発明はこの例または何れか特定の再符号化アルゴリズムに限定されるものでないことに留意されたい。
【００２３】
ビデオ信号を変更すると、ステップ２１８に従ってこれを記憶媒体に録画することができる。１つまたは複数の導入Ｐピクチャ、１つまたは複数の後続のＰピクチャ、またはこれらの組合せをＩピクチャに再符号化することで、ビデオ信号は今やビデオ中の残りのピクチャを構成するための１つまたは複数のＩピクチャを含んでいるので、正しく復号されたＰピクチャを得る際の遅延を無くすことができる。
【図面の簡単な説明】
【００２４】
【図１】本明細書の発明の構成による、非ＩピクチャをＩピクチャに変換することによりビデオ信号を変更することのできる記憶媒体デバイスのブロック図である。
【図２】非ＩピクチャをＩピクチャに変換することによりビデオ信号を変更する動作を示すフローチャートである。
【図１】
2005507186.tif 000003
【図２】
2005507186.tif 000004
【国際公開パンフレット】
2005507186.tif 000005
2005507186.tif 000006
2005507186.tif 000007
2005507186.tif 000008
2005507186.tif 000009
2005507186.tif 000010
2005507186.tif 000011
2005507186.tif 000012
2005507186.tif 000013
2005507186.tif 000014
2005507186.tif 000015
2005507186.tif 000016
2005507186.tif 000017
2005507186.tif 000018
2005507186.tif 000019
2005507186.tif 000020
2005507186.tif 000021
2005507186.tif 000022
2005507186.tif 000023
【国際公開パンフレット（コレクトバージョン）】
2005507186.tif 000024
2005507186.tif 000025
2005507186.tif 000026
2005507186.tif 000027
2005507186.tif 000028
2005507186.tif 000029
2005507186.tif 000030
2005507186.tif 000031
2005507186.tif 000032
2005507186.tif 000033
2005507186.tif 000034
2005507186.tif 000035
2005507186.tif 000036
2005507186.tif 000037
2005507186.tif 000038
2005507186.tif 000039
2005507186.tif 000040
2005507186.tif 000041
2005507186.tif 000042
【国際調査報告】
2005507186.tif 000043
2005507186.tif 000044